(57)【特許請求の範囲】
【請求項１】
内部に揮発性物質を入れるためのリザーバを備えるリフィルであって、透過膜は前記リザーバ上に配置され、前記透過膜を介して前記揮発性物質を放出するリフィルと、
前記リフィルを保持するためのハウジングと、
前記リフィルの上に配置され、前記リフィルと連動する手動駆動機構と、
を含み、
前記手動駆動機構の作動は、前記手動駆動機構から垂下し、前記透過膜と平行な軸を中心に前記リフィルを１８０°以上回転させる、放出システム。
【請求項２】
ファンアセンブリをさらに含む、請求項１に記載の放出システム。
【請求項３】
前記ファンアセンブリは、前記リフィルを内部に保持するためのリフィル支持部を含む、請求項２に記載の放出システム。
【請求項４】
前記ファンアセンブリは、前記手動駆動機構と連動する、請求項３に記載の放出システム。
【請求項５】
前記手動駆動機構は、プランジャによって上下方向に手動で作動する、請求項１に記載の放出システム。
【請求項６】
前記プランジャの下向きの動きは、ファンを回転させる請求項５に記載の放出システム。
【請求項７】
前記プランジャの上向きの動きは、前記ファンを回転させない、請求項６に記載の放出システム。
【請求項８】
前記手動駆動機構の作動は、ファンを前記軸を中心として３６０°以上回転させる、請求項１に記載の放出システム。
【請求項９】
前記手動駆動機構の作動は、前記ハウジングの上部および底部から空気を吸引し、前記揮発性物質を放出するために前記空気を前記透過膜の上を通過させ、前記ハウジングの側面部から前記空気を放出する、請求項１に記載の放出システム。
【請求項１０】
前記揮発性物質は、前記放出システムの３６０°周辺全体に放射状に放出される、請求項１に記載の放出システム。
【請求項１１】
放出システムにおいて、
内部に揮発性物質が配置されたリザーバを備えるリフィルであって、透過膜が前記リザーバを覆うことで、第１受動段階で前記揮発性物質を前記透過膜を介して放出するリフィルと、
前記リフィルの上に配置されるファンと、
前記リフィルを保持するためのハウジングと、を含み、
前記ファンの回転は、前記ハウジングの底部から空気を吸引し、第２能動段階で前記揮発性物質を放出するために前記空気を前記透過膜と実質的に平行な方向に前記透過膜の上を通過させ、前記ハウジングの上部及び側面部から前記空気を放出し、及び
前記揮発性物質は、前記放出システムの３６０°周辺全体に放射状に放出される、放出システム。
【請求項１２】
前記透過膜は前記ファンの回転面に対して垂直に配置される、請求項１１に記載の放出システム。
【請求項１３】
前記ファンと連動する駆動機構をさらに含む、請求項１２に記載の放出システム。
【請求項１４】
前記駆動機構は、プランジャによって上下方向に手動で作動する、請求項１３に記載の放出システム。
【請求項１５】
前記プランジャの下向きの動きは、前記ファンを回転させる、請求項１４に記載の放出システム。
【請求項１６】
前記プランジャの上向きの動きは、前記ファンを回転させない、請求項１５に記載の放出システム。
【請求項１７】
第２リフィルをさらに含む、請求項１１に記載の放出システム。
【請求項１８】
放出システムにおいて、
内部に揮発性物質を含むリザーバを備えるリフィルであって、透過膜が前記リザーバを覆うことで、第１受動段階で前記揮発性物質を前記透過膜を介して放出するリフィルと、
前記リフィルの上に配置される非電動の駆動機構と、
を含み、
前記駆動機構は、前記駆動機構から垂下し、前記透過膜と平行な軸を中心として前記リフィルを１８０°以上回転させる、放出システム。
【請求項１９】
前記駆動機構は、前記リフィルを前記軸を中心として３６０°以上回転させる、請求項１８に記載の放出システム。
【請求項２０】
前記駆動機構は、プランジャによって上下方向に手動で作動する、請求項１８に記載の放出システム。
【請求項２１】
前記プランジャの下向きの動きは、前記リフィルを回転させる、請求項２０に記載の放出システム。
【請求項２２】
前記揮発性物質は、前記放出システムの３６０°周辺全体に放射状に放出される、請求項１８に記載の放出システム。
【発明の詳細な説明】
【技術分野】
【０００１】
本発明は、揮発性物質放出システムに関し、特に、使用中に揮発性物質を受動的及び能動的に環境に放出するのに適した揮発性物質ディスペンサに関する。
【背景技術】
【０００２】
多くのデバイス及び装置は、揮発性物質を使用環境に供給するために開発されてきた。いくつかのデバイスは、受動的な手段を用いて揮発性物質を散布する。受動的な手段を備えるデバイスの例は、基板又は膜から揮発性物質が蒸発するデバイスを含み、揮発性物質を環境に散布する。他の受動的デバイスは、揮発性物質が蒸発するように、環境に放出される揮発性物質を含むリザーバを備える。しかし、これらのデバイスは、環境に対する揮発性物質の増加的な散布をユーザに提供しない。
【０００３】
前述した受動的デバイスの他にも、能動的デバイス又は受動的デバイスと能動的デバイスとの組み合わせを含むデバイスが、揮発性物質の散布を助けるように開発されてきた。これらの複数の能動的ディスペンサは、ファン、加熱器、又は、基板、膜、若しくはリザーバから揮発性物質の散布を向上させる他の機構を作動するための電子部品の使用を必要とする。
【発明の概要】
【発明が解決しようとする課題】
【０００４】
したがって、電子部品の助けを借りずに揮発性物質の供給を手動で向上させるための改善された装置に関する技術が必要とされている。
【課題を解決するための手段】
【０００５】
一実施形態によれば、放出システムは、内部に揮発性物質を入れるためのリザーバを備えるリフィル（詰め替え品）を含む。透過膜は、リザーバ上に配置され、透過膜を介して揮発性物質を放出する。放出システムは、また、リフィルを保持するためのハウジング及びリフィルと連動する手動駆動機構を含む。手動駆動機構の作動は、リフィルを長軸を中心に１８０°以上回転させる。
【０００６】
また他の実施形態によれば、放出システムは、ファン及び内部に揮発性物質が配置されたリザーバを備えるリフィルを含む。透過膜がリザーバを覆うことで、第１受動段階で揮発性物質を、透過性基板を介して放出する。ファンの回転は、第２能動段階で揮発性物質を放出するために、空気を透過膜の上を通過させる。揮発性物質は、放出システムの３６０°周辺全体に放射状に放出される。
【０００７】
他の実施形態によれば、放出システムは、非電動ばね作動式の駆動機構及び内部に揮発性物質を含むリザーバを備えるリフィルを含む。揮発性物質は、第１受動段階でリフィルから放出され、駆動機構は、リフィルを放出システムの長軸を中心として１８０°以上回転させる。
【０００８】
本発明の前述した態様及び他の態様は、本発明の好ましい実施形態の以下の記載及び添付された図面から明らかになるであろう。
【図面の簡単な説明】
【０００９】
【図１】放出システムの等角図である。
【図２】図１の放出システムの正面図である。
【図３】図１の放出システムの基部の等角図である。
【図３Ａ】図３の基部の平面図である。
【図４】内部にリフィルが配置された図３の基部の等角図である。
【図５】内部に２つのリフィルが配置された図３の基部の等角図である。
【図６】図１の６−６線に沿ったリフィルの断面図である。
【図７】図１の放出システムの分解等角図である。
【図８】図１の８−８線に沿った図１の放出システムの断面図である。
【図９】図１の９−９線に沿った図１の放出システムの断面図である。
【図１０】図１の放出システムで用いるファンの等角図である。
【図１１】図１の放出システムの駆動機構の一部の分解等角図である。
【図１２】図１の放出システムで用いるラチェットの平面図である。
【図１３】放出システムのさらなる実施形態の等角図である。
【図１４】図１３の放出システムの正面図である。
【図１５】図１３の放出システムの基部の等角図である。
【図１６】図１３の放出システムの分解等角図である。
【図１７】図１３の１７−１７線に沿った図１３の放出システムの断面図である。
【図１８】図１３の１８−１８線に沿った図１３の放出システムの断面図である。
【図１９】図１３の放出システムで用いるファンアセンブリ及びリフィルの分解等角図である。
【図２０】経過時間に係る揮発性物質の放出量を示す放出プロファイルのグラフ表示である。
【図２１】経過時間に係る揮発性物質の放出量を示す第２の放出プロファイルのグラフ表示である。
【図２２】経過時間に係る揮発性物質の放出量を示す他の放出プロファイルのグラフ表示である。及び
【図２３】経過時間に係る第１及び第２揮発性物質の放出量を示すさらなる放出プロファイルのグラフ表示である。
【発明を実施するための形態】
【００１０】
図１〜図１２を参照すると、揮発性物質放出システム１００は、基部１０４及びカバー１０６を含むハウジング１０２を含む。ファンアセンブリ１０８、手動駆動機構１１０、及び少なくとも１つのリフィル１１２は、ハウジング１０２内に配置される。
【００１１】
図１〜図３Ａを参照すると、基部１０４は、一般的に円筒状であり、開放上端部１１６から底部１１８まで延在する側壁１１４を含む。開口部１２０は、底部１１８に配置される。複数の脚部１２２もまた、基部１０４の底部１１８に設けられる。脚部１２２は支持面１２４上に置かれ、基部１０４の底部１１８を支持面１２４から距離Ｈに保持し、それにより、以下にて詳細に記載するように開口部１２０を介した空気流動を可能にする。代替的に、脚部１２２は省略してもよく、底部１１８は支持面１２４上に置かれ、開口部１２０は、空気が基部１０４に進入できるように底部１１８に隣接した側壁１１４に配置されてもよい。
【００１２】
図３〜図５、図８、及び図９を参照すると、リフィルの支持構造１２６は、その底部１１８に隣接した基部１０４の内部に配置される。リフィルの支持部１２６は、開口部１２０の上で側壁１１４の内部表面１３０から延在するブリッジ１２８を含む。２つの支持ブロック１３２Ａ，１３２Ｂは、ブリッジ１２８の対向する端部に配置される。支持ブロック１３２Ａは、その中に配置された、一対のスロット１３４Ａ，１３６Ａを含み、これは、対向する支持ブロック１３２Ｂに配置された一対のスロット１３４Ｂ，１３６Ｂに対応する。リフィルの支持構造１２６は、一対の直立壁１３８をさらに含み、一対の直立壁は、ブリッジ１２８に対して実質的に垂直であって、開口部１２０を横切って側壁１１４の内部表面１３０から延在する。
【００１３】
特に図６を参照すると、リフィル１１２は、リザーバ１５０及びリザーバ１５０を囲むフランジ１５２を含む。透過膜１５４は、リザーバ１５０を覆うためにフランジ１５２に取り付けられて、リフィル１１２をまたいで延在する。リザーバ１５０は、揮発性物質１５６で満たされ、揮発性物質は、芳香剤、空気清浄剤、消臭剤、殺虫剤、又は、防虫剤などの周囲の大気中に拡散するための１つ以上の有効成分を含んでもよい。透過膜１５４を介して散布するのに適した１つ以上の有効成分と共に任意の種類の揮発性物質がリフィル１１２と共に用いることが意図され、例えば、ジェル、リキッド、又は増粘リキッド内に懸濁、混合、又は、ほかの形をとる活性剤が考慮される。非透過性ラミネート１５８は、使用前に揮発性物質１５６が放出することを防止するために透過膜１５４の上のリフィル１１２に剥離可能に接着される。
【００１４】
使用時には、図３〜図５、図８、及び図９に示すように、リフィル１１２は、その開放上端部１１６を介して基部１０４に挿入される。リフィル１１２は、フランジ１５２が各々の支持ブロック１３２Ａ，１３２Ｂの対向するスロット１３４Ａ，１３４Ｂ内にスライドして挿入される。直立壁１３８は、リザーバ１５０又は透過膜１５４の方向にリフィル１１２の実質的な移動を防止することにより、リフィル１１２を保持する追加的な支持を提供する。いくつかの実施形態では、同一又は異なる揮発性物質１５６’を含む第２リフィル１１２’を基部１０４に挿入してもよい。第２リフィル１１２’は、フランジ１５２’が各々の支持ブロック１３２Ａ，１３２Ｂの対向するスロット１３６Ａ，１３６Ｂ内にスライドして挿入される。２つのリフィル１１２，１１２’が基部１０４に挿入されるとき、それぞれのリフィル１１２，１１２’の透過膜１５４，１５４’は、外向きかつ互いに離れるほうに向いてリフィル１１２，１１２’が挿入される。代替的に、膜１５４，１５４’は、同一方向に挿入されてもよく、透過膜１５４，１５４’が互いに向き合う方向に挿入されてもよい。例えば、リフィル１１２，１１２’は、基部１０４内に位置してもよく、リザーバ１５０，１５０’は、基部１０４の側壁１１４の内部表面１３０を向いて配置され、透過膜１５４，１５４’は、内向きに向かい合っている。
【００１５】
図１、図２、図８、及び図９を参照すると、カバー１０６は、基部１０４と噛み合うようにするように構成される。カバー１０６は、基部１０４の側壁１１４の上端１１６をスライドし、その外部表面１６０と摩擦係合し、これは、使用中にカバー１０６が基部１０４から外れるのを防止したり、回転するのを防止する。さらに、棚部１６２は、カバー１０６の下部端１６４の静止面として追加的な支持を提供するように側壁１１４の外部表面１６０の周辺に配置される。カバー１０６は、摩擦係合によって基部１０４に脱着可能に取り付けられるように示されているが、当業者に公知の他の結合手段もまた、カバー１０６を基部１０４に脱着可能に取り付けることができ、例えば、カバー１０６は、基部１０４上にスナップ嵌合、又は基部１０４上に螺合してもよい。図７〜図９に示すように、カバー１０６は、カバー１０６に配置される開口部１６６をさらに含む。円筒状の支持部１６８は、開口部１６６に隣接するカバー１０６に垂下する。円筒状の支持部１６８は、ハウジング１０２内にファンアセンブリ１０８及び手動駆動機構１１０を支持及び保持するのを助けるように構成される。また、複数の通気孔１７０は、カバー１０６の側壁１７２の上部及び側面部に配置され、これは、揮発性物質１５６で満たされた空気を放出システム１００から放出する。本実施形態では、通気孔１７０は、装飾的な葉状のパターンで示されているが、通気孔１７０は任意の形状及びパターンであってもよいことが意図される。さらに、放出される揮発性物質１５６の量を増加させたり減少させるために、より大きい又はより小さい通気孔１７０を用いてもよい。
【００１６】
図７〜図１０を再び参照すると、ファンアセンブリ１０８は、一般的にファン１８０及びピボット１８２を含む。ファン１８０は、その中央の胴部１８６から延在する複数のファンブレード１８４を含む。放出システム１００が組み立てられるとき、カバー１０６の円筒状の支持部１６８を受容するように胴部１８６が形成される。図１０に示すように、ファン１８０は、円筒状に形成された軸１８８を含み、軸は、胴部１８６内に位置し、その底部１９０から上向きに延びる。軸１８８の上端１９２は、複数の歯１９４を含む。歯１９４は、傾斜した第１側面１９６Ａ及び垂直の第２側面１９６Ｂを含む。
【００１７】
図７〜図９を再び参照すると、ピボット１８２は、外部リング１９８及び外部リング１９８からその底部２０２まで内向きに延在する複数のアーム２００を含む。アーム２００は、ピボット１８２の底部２０２から上向きに延びる主部２０４及び主部２０４から約９０°外部に向かって延在し、主部２０４を外部リング１９８に接続する張り出し部２０６を含む。図８及び図９を再び参照すると、ファン１８０の胴部１８６は、ピボット１８２のアーム２００内に受容される。胴部１８６の底部１９０上の溝２０８は、ピボット１８２の底部２０２から延在する円錐形の突出部２１０上に置かれる。円錐形の突出部２１０はピボット点として作用し、ファン１８０は放出システム１００内で回転する。
【００１８】
図７〜図９を続けて参照すると、ピボット１８２は、放出システム１００が組み立てられるとき、基部１０４の上端１１６内に収まるように設計される。組み立て時に、ピボット１８２の外部リング１９８は、上端１１６に隣接する基部１０４の側壁１１４の内部表面１３０上に配置された棚部２１２の上に置かれる。外部リング１９８は、ファン１８０が回転するときにピボット１９８が回転するのを防止するように側壁１１４の内部表面１３０に摩擦係合する。
【００１９】
図７〜図９、図１１、及び図１２を参照して、手動駆動機構１１０の様々な構成要素について説明する。駆動機構１１０は、プランジャ２２０、スクリュー２２２、ばね２２４、ラチェット２２６、及びラチェットカバー２２８を含む。プランジャ２２０は、円形の上部壁２３０及び上部壁２３０から垂下する円筒状の壁２３２を含む。ボタンインサート２３４は、上部壁２３０内に設けられてもよく、上部壁２３０とボタンインサート２３４が単一部品であってもよい。プランジャ２２０の円筒状の壁２３２は、カバー１０６の円筒状の支持部１６８内に収まるように成形される。円筒状の壁２３２の先端上に配置されたフック２３６は、組立後にプランジャ２２０がカバー１０６から外れるのを防止するために円筒状の支持部１６８と相互作用する。スクリュー２２２は、上部壁２３２内に保持されて円筒状の壁２３２内にそこから下向きに延在する。
【００２０】
図１１に示すように、ラチェット２２６は、円盤状のキャップ２４０及びキャップ２４０の底面２４４から垂下する円筒状のチューブ２４２を含む。複数の歯２４６もまたキャップ２４０の底面２４４から垂下する。歯２４６は、傾斜した第１側面２４８Ａ及び垂直の第２側面２４８Ｂを含む。ラチェット２２６上の歯２４６は、ファン１８０の軸１８８上に複数の歯１９４と相互作用するように設計される。図１２に示すように、ラチェット２２６は、キャップ２４０内にスロット２５０をさらに含み、スロットは、プランジャ２２０の垂直の動きをファン１８０の回転の動きに変換するために、スクリュー式の結合によってスロットを介してスクリュー２２２を受容するように形成される。
【００２１】
図１１を再び参照すると、ラチェットカバー２２８は、閉じられた上端２５４を備える本体２５２を含む。ラチェットカバー２２８は、放出システム１００が組み立てられるときにハウジング１０２にラチェット２２６を保持するようにラチェット２２６及び軸１８８の上にフィットするように設計される。開口部２５６は（図７〜図９参照）ラチェットカバー２２８の上端２５４に配置され、開口部は、スクリュー２２２がラチェットカバー２２８を通過してラチェット２２６に入るように設計される。
【００２２】
放出システム１００を組立てるために、ユーザは、リフィル１１２から非透過性ラミネート１５８を除去した後、リフィル１１２を基部１０４に挿入する。ファンアセンブリ１０８、手動駆動機構１１０、及びカバー１０６は、その後、基部１０４に取り付ける。受動段階において、揮発性物質１５６は、リフィル１１２の透過膜１５４を介して蒸発し、カバー１０６の複数の通気孔１７０を介して放出システム１００から放出される。
【００２３】
ユーザは、いつでも、プランジャ２２０に下向きの力（Ｆ）を加えることにより、より多くの量の揮発性物質１５６を放出するように放出システム１００を作動することができる。プランジャ２２０上の力（Ｆ）の作用は、スクリュー２２２をラチェット２２６のスロット２５０を介して垂直に下向きに動かし、これは、ラチェット２２６を第１方向に回転させる。第１方向へのラチェット２２６の回転は、ラチェットの歯２４６の垂直側２４８Ｂに、軸の歯１９４の垂直側１９６Ｂを噛み合うようにし、それにより、ファン１８０が放出システム１００の長軸２５８を中心に回転する。回転するファン１８０は、矢印（Ａ）で示すように基部１０４の底部１１８の開口部１２０を介して放出システム１００のハウジング１０２に空気を吸引する。その後、空気は透過膜１５４と実質的に平行な方向にリフィル１１２の透過膜１５４の面上を通過する。透過膜１５４の面と垂直の方向に動く空気とは対照的に、透過膜１５４と実質的に平行な方向に透過膜１５４の面を横切って空気に力を加えることで、空気のより効率的な放出を提供する。周囲大気中への揮発性物質１５６の向上した供給を提供するために、リフィル１１２，１１２’を通過する際の空気流動は、このように抵抗をあまり受けない。透過膜１５４の上を通過した後、空気は揮発性物質１５６で満たされ、カバー１０６の側壁１７２の上部及び側面部の複数の通気孔１７０を介してハウジング１０２から放出される。本実施形態において、空気は放出システムの３６０°周辺全体の方向へ放射状に通気孔１７０から排出される。受動段階と比較して、能動段階の間は放出システム１００から放出される揮発性物質１５６の比率と量が増加した。
【００２４】
下向きの力（Ｆ）がプランジャ２２０から除かれると、ばね２２４は非作動位置まで上方にプランジャ２２０を付勢する。プランジャ２２０の上向きの動きは、ラチェット２２６でスロット２５０を介してスクリュー２２２に上向きの動きを生じさせる。この上向きの動きは、ラチェット２２６を反対の第２方向に回転させる。ラチェット２２６が第２方向に回転するとき、ラチェットの歯２４６の傾斜した側面２４８Ａは、軸の歯１９４の傾斜した側面１９６Ａ上に乗り上げ、乗り越えることができ、それによりファン１８０を第２反対方向に回転させずにラチェット２２６を回転させる。いくつかの実施形態では、回転するファン１８０によって発生した運動量は、プランジャ２２０上の力（Ｆ）が除かれた後にもファン１８０を第１方向に回転し続ける。
【００２５】
図１３〜図１９を参照すると、揮発性物質放出システム３００の他の実施形態が示され、図１〜図１２の図面と同様の要素には、同一の番号が付されている。一般に、放出システム３００は、代替的な基部３０４とファンアセンブリ３０８との組み合わせで、上述したカバー１０６、手動駆動機構１１０、及びリフィル１１２を含む。
【００２６】
図１３〜図１５に示すように、基部３０４は、形状が円筒状であり、底部の台座３１０と、そこから開放上端部３１４へ上向きに延びる側壁３１２とを含む。複数の窓３１６は、側壁３１２に配置される。開口３１８は、放出システム３００の中央の長軸３２２に沿って、台座３１０の上側面３２０上に配置される。本実施形態では、開口３１８は、内向きにテーパ状の円形の溝形状である。第１セットの開口部３２４は、台座３１０の側壁３２６の周辺に配置され、第２セットの開口部３２８は、開口３１８の周辺の台座３１０の上側面３２０上に配置される。台座３１０上の第１及び第２セットの開口部３２４，３２８は、空気が台座３１０を介して及び放出システム３００に流入するようにする。
【００２７】
図１６〜図１９を参照すると、ファンアセンブリ３０８は、円形の本体部３４０を含み、本体部は、本体部には開口部３４２を備える。複数のブレード３４４は、開口部３４２内に延在し、その中央の長軸３２２に収束、又は集中する。ブレード３４４は、空気が本体部３４０の開口部３４２を介して流動するように離して配置される。ファンアセンブリ３０８は、円筒状の軸３４６を含み、軸は、中央の長軸３２２に沿ってブレード３４４から上向きに延びる。軸３２２の上端３４８は、複数の歯３５０を含み、複数の歯は、傾斜した第１側面３５２Ａ及び垂直の第２側面３５２Ｂを含む。リフィル支持部３５４は、本体３４０から垂下してリフィル１１２を保持するように構成される。リフィル支持部３５４は、中央開口部３５８を備えるフレーム状の本体３５６を含む。フレーム３５６の側面部３６０は、フレーム３５６内のスロット３６２を露出するように開いている。スロット３６２は、リフィル１１２のフランジ１５２をスライドして受容するように構成される。本実施形態のリフィル支持部３５４はフレーム３５６内に単一のスロット３６２を含むが、ファンアセンブリ３０８内にリフィル１１２を着脱可能に保持するために、他の保持手段を使用し得ることが意図される。さらに、フレーム３５６は、第２リフィル１１２’（図示せず）を受容するように構成され得るが、例えば、追加的なスロットを含むことが意図される。ピボットは、フレーム３５６の底部３６６上に配置され、そこから垂下した円錐形の突出部３６８を含む。組み立てられたとき、円錐形の突出部３６８は、台座３１０上の開口３１８内に載るように構成される。円錐形の突出部３６８は、ピボット点として作用し、ファンアセンブリ３０８が放出システム３００内で回転する。
【００２８】
使用時、ユーザは、リフィル１１２から非透過性ラミネート１５８を除去し、その後（図１９参照）矢印（Ｂ）の方向にファンアセンブリ３０８のリフィル支持部３５４の中にリフィル１１２をスライドする。ファンアセンブリ３０８、手動駆動機構１１０、及びカバー１０６は、その後、基部３０４に取り付けられる。カバー１０６は、基部３０４の側壁３１２の外部表面３７０に摩擦係合し、それにより、使用中にカバー１０６が外れたり回転するのを防止する。受動段階では、揮発性物質１５６は、リフィル１１２の透過膜１５４を介して蒸発し、基部３０４の複数の窓３１６及びカバー１０６の複数の通気孔１７０を介して放出システム３００から放出される。
【００２９】
ユーザは、いつでも、上述したように、プランジャ２２０に下向きの力（Ｆ）を加えることにより、より多くの量の揮発性物質１５６を放出するように放出システム３００を作動することができる。プランジャ２２０上の力（Ｆ）の作用は、スクリュー２２２をラチェット２２６のスロット２５０を介して垂直に下向きに動かし、これは、ラチェット２２６を第１方向に回転させる。第１方向へのラチェット２２６の回転は、ラチェットの歯２４６の垂直側２４８Ｂに、軸の歯３４６の垂直側３５２Ｂと噛み合うようにし、それにより、ファンアセンブリ３０８及び取り付けられたリフィル１１２が回転する。ファンアセンブリ３０８及びリフィル１１２の回転は、カバー１０６の通気孔１７０を介して放出システム３００に空気を吸引し、その後、空気は、矢印（Ｃ）で示すようにファンアセンブリ３０８の開口部３４２を介して通過する。また、空気は、台座３１０に位置する各々の第１及び第２セットの開口部３２４，３２８を介して放出システム３００に吸引される。その後、空気は、リフィル１１２の透過膜１５４の面上を通過する。リフィル１１２の上を通過した後、空気は、揮発性物質１５６で満たされ、回転するリフィル１１２によって放出システム３００の外に押し出されて、複数の窓３１６を介して放出システム３００から放出される。回転するリフィル１１２及び複数の窓３１６の組み合わせは、空気を、放出システムの３６０°周辺全体に放射状に窓３１６から排出する。受動段階と比較して、能動段階の間、放出システム３００から放出される揮発性物質１５６の比率及び量は増加した。
【００３０】
放出システム３００の作動中に、リフィル１１２は、放出システム３００の長軸３２２に対して少なくとも１８０°回転する。好ましくは、リフィルは、放出システム３００の長軸３２２に対して少なくとも３６０°回転し、さらに好ましくは、リフィルは、長軸３２２に対して１回転、３６０°以上の回転をしてもよい。
【００３１】
下向きの力（Ｆ）がプランジャ２２０から除かれると、ばね２２２は、非作動位置まで上方にプランジャ２２０を付勢する。プランジャ２２０の上向きの動きは、ラチェット２２６でスロット２５０を介してスクリュー２２２に上向きの動きを生じさせる。この上向きの動きは、ラチェット２２６を反対の第２方向に回転にさせる。ラチェット２２６が第２方向に回転するとき、ラチェットの歯２４６の傾斜した側面２４８Ａは、軸の歯３５０の傾斜した側面３５２Ａ上に乗り上げ、乗り越えることができ、それによりファンアセンブリ３０８及びリフィル１１２を第２反対方向に回転させずにラチェット２２６を回転させる。いくつかの実施形態では、回転するファンアセンブリ３０８及びリフィル１１２によって発生した運動量は、プランジャ２２０上の力（Ｆ）が除かれた後にもファンアセンブリ３０８及びリフィル１１２を第１方向に回転し続ける。
【００３２】
前述した放出システム１００，３００は、内部に同一又は異なる揮発性物質１５６，１５６’を有する１つ以上のリフィル１１２，１１２’を共に使用してもよい。それぞれのリフィル１１２，１１２’は、作動の初期の時点で揮発性物質の第１の量（Ｍ１）を放出し、一般的に、放出された揮発性物質の質量又は放出された揮発性物質の容積で示す。時間が経つにつれ、リフィル１１２，１１２’から放出される揮発性物質１５６，１５６’の量は、枯渇するまで減少、又は意図的な目的のために効果的でない揮発性物質の残余量が残る時まで減少する。揮発性物質１５６，１５６’が枯渇するのにかかる時間周期は、寿命（Ｔ１）によって示される。リフィル１１２，１１２’の寿命（Ｔ１）は、好ましくは約３０日以上、又は、約６０日以上、又は、約１から２週、又は、約１から４週、又は、約１から７日、又は、約１から３０日、又は、ある他の範囲である。
【００３３】
図２０を参照すると、リフィル１１２の第１方法が示されている。図２０に示すように、リフィルが時間０で放出システムに挿入されたとき、リフィルは、揮発性物質のＭ１についての放出を始める。時間が経つにつれ、放出される揮発性物質の量は、全ての揮発性物質が時間Ｔ１で枯渇するまで減少する。リフィルが枯渇した後に第１リフィルが取り外されて、新しいリフィルが放出システムに挿入される。新しいリフィルは、揮発性物質の約Ｍ１の量を放出し始め、これは、その後の第２リフィルが時間Ｔ２で枯渇するまで減少する。
【００３４】
図２１に示すように、２つのリフィルが放出システムに挿入される第２方法の使用が示される。２つのリフィルを挿入することは、放出システムから初期に放出される揮発性物質の量をＭ２に増加させる。放出される揮発性物質の量は、リフィルがＴ１で枯渇するまで減少する。２つのリフィルを挿入することは、放出システムから揮発性物質のより大きい初期バーストを放出し、これを時間Ｔ１で全て使い果たす。
【００３５】
第３方法が図２２に示される。この方法で、第１リフィルは、放出システムに挿入されて揮発性物質のＭ１を初期に放出する。第１リフィルの寿命の途中、時間Ｔ０．５に、第２リフィルが挿入される。放出される揮発性物質の量はＭ３であり、これは、第１リフィルからまだ放出されている揮発性物質の量の他に、新しいリフィルから放出される揮発性物質の量を合わせたものである。第１リフィルの寿命の間に第２リフィルを挿入すると、放出システムは、より一貫性のある方法で揮発性物質を放出することができる。
【００３６】
第４の方法が図２３に示され、これは、第１及び第２リフィルが内部に異なる揮発性物質を含むことを除き、図２２に示した方法と同様である。第１揮発性物質を有する第１リフィルは、ディスペンサに挿入されて第１揮発性物質を放出し始める。第２リフィルは、第１リフィルの寿命の間に挿入されて第２揮発性物質を放出し始める。第１及び第２揮発性物質は、放出システムから揮発性物質の量Ｍ３を放出するように混ざる。交互に出る揮発性物質は、揮発性物質が芳香剤である場合、ユーザの慣れを防止するのに有益である。
【００３７】
本明細書に開示された例示的実施形態は、網羅的又は発明の範囲を不要に限定するものではない。本発明の原理を説明して当業者が本発明を実施できるために例示的実施形態が選択され、記載された。当業者には明らかなように、様々な変更が前述の説明の範囲内で行うことができる。当業者の能力の範囲内であるこのような修正は、本発明の一部を形成する添付の特許請求の範囲に含まれる。
【００３８】
前述した実施形態及び例のそれぞれの個々の特徴の全ての可能な別の及び様々な組み合わせを含む本開示の他の実施形態は、本明細書に具体的に含まれる。
【産業上の利用可能性】
【００３９】
本発明の多くの変更は、前述した明細書の観点から当業者に明らかであろう。したがって、この記載は、単なる例示として理解されるべきであり、当業者が発明を作って使用し、発明を実施する最善のモードを教示する目的のために提示される。添付された請求の範囲の範囲内に全ての変更に対する独占的な権利が留保される。
【図１】
0006259085.tif 000002
【図２】
0006259085.tif 000003
【図３】
0006259085.tif 000004
【図３Ａ】
0006259085.tif 000005
【図４】
0006259085.tif 000006
【図５】
0006259085.tif 000007
【図６】
0006259085.tif 000008
【図７】
0006259085.tif 000009
【図８】
0006259085.tif 000010
【図９】
0006259085.tif 000011
【図１０】
0006259085.tif 000012
【図１１】
0006259085.tif 000013
【図１２】
0006259085.tif 000014
【図１３】
0006259085.tif 000015
【図１４】
0006259085.tif 000016
【図１５】
0006259085.tif 000017
【図１６】
0006259085.tif 000018
【図１７】
0006259085.tif 000019
【図１８】
0006259085.tif 000020
【図１９】
0006259085.tif 000021
【図２０】
0006259085.tif 000022
【図２１】
0006259085.tif 000023
【図２２】
0006259085.tif 000024
【図２３】
0006259085.tif 000025